(57)【要約】【課題】通話中のＤＴＭＦ信号がネットワークを透過又は非透過する処理を適切に制御する。【解決手段】発信側及び着信側の通信端末種別毎（内線／外線）にＤＴＭＦ信号を透過するか否かを制御する。発信側及び着信側の通信端末が属する拠点毎（契約企業における設定）にＤＴＭＦ信号を透過するか否かを制御する。発信側及び着信側の通信端末毎にＤＴＭＦ信号を透過するか否かを制御する。また、これらの条件に関わらず、留守番電話サービスと通話転送サービスにおいてはＤＴＭＦ信号を透過する。【選択図】図１０
2018019265.tif 000002
【特許請求の範囲】
【請求項１】
発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、
前記判断に従い、ＤＴＭＦ信号を中継する中継装置に対してＤＴＭＦ信号の中継の可否を指示する指示部と
を備える呼制御装置。
【請求項２】
前記条件において、発信側及び着信側の通信端末の種別毎にＤＴＭＦ信号を透過するか否かが決められている
ことを特徴とする請求項１記載の呼制御装置。
【請求項３】
前記条件において、発信側及び着信側の通信端末が属する拠点毎にＤＴＭＦ信号を透過するか否かが決められている
ことを特徴とする請求項１又は２に記載の呼制御装置。
【請求項４】
前記条件において、発信側及び着信側の通信端末毎にＤＴＭＦ信号を透過するか否かが決められている
ことを特徴とする請求項１〜３のいずれか１項に記載の呼制御装置。
【請求項５】
ＤＴＭＦ信号を透過するか否かを決めた前記条件に関わらず、前記通信端末間において特定のサービスが利用される場合には、ＤＴＭＦ信号を透過すると判断する
ことを特徴とする請求項２〜４のいずれか１項に記載の呼制御装置。
【請求項６】
前記特定のサービスは留守番電話サービスである
ことを特徴とする請求項５に記載の呼制御装置。
【請求項７】
前記特定のサービスは通話転送サービスである
ことを特徴とする請求項５に記載の呼制御装置。
【請求項８】
ＤＴＭＦ信号を透過するか否かを決めた前記条件に関わらず、前記通信端末において特定の入力がなされた場合には、ＤＴＭＦ信号を透過すると判断する
ことを特徴とする請求項２〜４のいずれか１項に記載の呼制御装置。
【請求項９】
外部端末からの指示に従って前記条件を記憶する記憶部を備え、
前記判断部は前記記憶部に記憶された条件に基づいて前記判断を行う
ことを特徴とする請求項１〜８のいずれか１項に記載の呼制御装置。
【請求項１０】
請求項１〜９のいずれか１項に記載の呼制御装置と、
前記呼制御装置からの指示に従ってＤＴＭＦ信号を中継する中継装置と
を備えた通信システム。
【発明の詳細な説明】
【技術分野】
【０００１】
本発明は、ＤＴＭＦ信号の制御に関する。
【背景技術】
【０００２】
ＤＴＭＦ信号は、例えばスマートホンなどの電話機においてキーが操作されると発信される音信号であり、プッシュ音、トーン信号又はＰＢ（Push Button）信号とも呼ばれる。このＤＴＭＦ信号は、電話機間の音声通話中であっても利用できるが、音声通話中に一方の電話機においてＤＴＭＦ操作が行われた場合、ネットワークを透過して他方の電話機に到達してしまい、音声通話の邪魔になる。そこで、ネットワークにおいてＤＴＭＦ信号を透過させないという設定にすることが考えられるが、このようにすると、ＤＴＭＦ信号を用いた操作が音声通話中に機能しなくなってしまう。
【０００３】
特許文献１には、特定の電話番号に対する発信、又は、特定の電話番号からの着信（例えばオペレータセンタとの通話）である場合には、通話中の音信号からＤＴＭＦ信号を抽出する一方、特定の電話番号についての発信又は着信ではない場合には、通話中の音信号からＤＴＭＦ信号を抽出しない仕組みが開示されている。これにより、例えばオペレータセンタから携帯端末へのＤＴＭＦ信号による遠隔操作が可能となる一方、一般の電話機から携帯端末へのＤＴＭＦ信号による遠隔操作が排除されるようになっている。
【先行技術文献】
【特許文献】
【０００４】
【特許文献１】特開２０１５−１７７２５５号公報
【発明の概要】
【発明が解決しようとする課題】
【０００５】
しかし、特許文献１の仕組みにおいては、携帯端末側に対して必ずＤＴＭＦ信号が通知され、そのＤＴＭＦ信号を処理対象として抽出するか否かは通知先の携帯端末側の判断となる。つまり、特許文献１の仕組みであっても、音声通話中にＤＴＭＦ操作を実施した場合には、そのＤＴＭＦ信号がネットワークを透過してしまい、音声通話の邪魔になるという問題は解消しない。
【０００６】
そこで、本発明は、通話中のＤＴＭＦ信号がネットワークを透過又は非透過する処理を制御することを目的とする。
【課題を解決するための手段】
【０００７】
上記課題を解決するため、本発明は、発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、前記判断に従い、ＤＴＭＦ信号を中継する中継装置に対してＤＴＭＦ信号の中継の可否を指示する指示部とを備える呼制御装置を提供する。
【０００８】
前記条件において、発信側及び着信側の通信端末の種別毎にＤＴＭＦ信号を透過するか否かが決められていてもよい。
【０００９】
前記条件において、発信側及び着信側の通信端末が属する拠点毎にＤＴＭＦ信号を透過するか否かが決められていてもよい。
【００１０】
前記条件において、発信側及び着信側の通信端末毎にＤＴＭＦ信号を透過するか否かが決められていてもよい。
【００１１】
ＤＴＭＦ信号を透過するか否かを決めた前記条件に関わらず、前記通信端末間において特定のサービスが利用される場合には、ＤＴＭＦ信号を透過すると判断するようにしてもよい。
【００１２】
前記特定のサービスは留守番電話サービスであってもよい。
【００１３】
前記特定のサービスは通話転送サービスであってもよい。
【００１４】
ＤＴＭＦ信号を透過するか否かを決めた前記条件に関わらず、発信側及び着信側の通信端末において特定の入力がなされた場合には、ＤＴＭＦ信号を透過すると判断するようにしてもよい。
【００１５】
外部端末からの指示に従って前記条件を記憶する記憶部を備え、前記判断部は前記記憶部に記憶された条件に基づいて前記判断を行うようにしてもよい。
【００１６】
また、本発明は、上記のいずれかの呼制御装置と、前記呼制御装置からの指示に従ってＤＴＭＦ信号を中継する中継装置とを備える通信システムを提供する。
【発明の効果】
【００１７】
本発明によれば、音声通話中のＤＴＭＦ信号がネットワークを透過又は非透過する処理を制御することができる。
【図面の簡単な説明】
【００１８】
【図１】本発明の実施形態にかかる通信システムの全体構成を示す図である。
【図２】呼制御サーバのハードウェア構成を示す図である。
【図３】加入者ＤＢ装置の記憶内容を例示する図である。
【図４】加入者ＤＢ装置の記憶内容を例示する図である。
【図５】加入者ＤＢ装置の記憶内容を例示する図である。
【図６】呼制御サーバ及び加入者ＤＢ装置の機能構成を示す図である。
【図７】呼制御サーバの動作を示すフロー図である。
【図８】システム全体の動作例を示すシーケンス図である。
【図９】システム全体の動作例を示すシーケンス図である。
【図１０】システム全体の動作例を示すシーケンス図である。
【図１１】システム全体の動作例を示すシーケンス図である。
【図１２】システム全体の動作例を示すシーケンス図である。
【発明を実施するための形態】
【００１９】
［構成］
図１は、本発明の実施形態に係る通信システムの全体構成を示すブロック図である。この通信システムは、ユーザによって操作される複数の通信端末１ａ，１ｂと、例えばＬＴＥ（Long Term Evolution）及び固定通信網を含むネットワーク３とを備えている。通信端末１ａ，１ｂは、例えばスマートホンなどの通話可能なコンピュータである。ネットワーク３は、複数の呼制御ゲートウェイ４ａ，４ｂ（以下、ゲートウェイをＧＷと表記する）と、呼制御サーバ５と、加入者データベース装置６（以下、データベースをＤＢと表記する）と、録音サーバ７とを含む。呼制御サーバ５は、発信側又は着信側の通信端末１ａ，１ｂについて決められた条件に基づいて、これら通信端末の通話中に一方の通信端末における操作に応じたＤＴＭＦ信号を他方の通信端末に対して透過するか否かを判断し、その判断に従い、呼制御ＧＷ４ａ又は呼制御ＧＷ４ｂに対してＤＴＭＦ信号の中継の可否を指示する。呼制御ＧＷ４ａ，４ｂは、呼制御サーバ５からの指示に従ってＤＴＭＦ信号を中継する。呼制御サーバ５及び加入者ＤＢ装置６は本発明に係る呼制御装置の一例である。呼制御ＧＷ４ａ，４ｂは本発明に係る中継装置の一例である。
【００２０】
図２は、呼制御サーバ５のハードウェア構成を示すブロック図である。呼制御サーバ５は、制御部５１と、通信部５２と、記憶部５３とを備えている。制御部５１は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部５３に記憶されたプログラムを実行することによって、呼制御サーバ５の各部の動作を制御する。通信部５２は、ネットワーク３を介して通信を行う。記憶部５３は、例えばハードディスク等の大容量で不揮発性の記憶手段であり、制御部５１が用いるデータ群やプログラム群を記憶している。
【００２１】
加入者ＤＢ装置６は、通信端末１ａ，１ｂのユーザ（ネットワーク３による通信サービスの加入者）に関する情報のほか、ＤＴＭＦ信号の制御に関する条件を記憶している。図３〜図５は、加入者ＤＢ装置６に記憶された、ＤＴＭＦ信号の制御に関する条件の一例を示す図である。図３は、発信側及び着信側の通信端末１ａ，１ｂの種別毎にＤＴＭＦ信号を透過するか否かが決められた条件の一例を示している。図の例では、ＬＴＥを用いた内線サービスを受ける通信端末が発信側（通話の発呼側）となり、ＬＴＥを用いた内線サービスを受ける通信端末が着信側（通話の着呼側）となる通話において、発信側の通信端末における操作に応じたＤＴＭＦ信号は着信側の通信端末に対して非透過（ＤＴＭＦ信号が着信側の通信端末に通知されない）であり、着信側の通信端末における操作に応じたＤＴＭＦ信号は発信側の通信端末に対して非透過である。
【００２２】
図４は、発信側及び着信側の通信端末１ａ，１ｂが属する拠点毎にＤＴＭＦ信号を透過するか否かが決められた条件の一例を示している。この拠点とは、例えば社員であるユーザが所属する組織単位（例えば企業単位とか、一企業内の本社とか支店とか部単位）のことであり、拠点ごとにＤＴＭＦ信号を消去するか否かが設定可能となっている。図の例では、発信側においてＤＴＭＦ信号を消去するという設定となっており、着信側においてＤＴＭＦ信号を消去するという設定となっている場合には、発信側の通信端末における操作に応じたＤＴＭＦ信号は着信側の通信端末に対して非透過（ＤＴＭＦ信号が着信側の通信端末に通知されない）であり、着信側の通信端末における操作に応じたＤＴＭＦ信号は発信側の通信端末に対して非透過である。
【００２３】
図５は、発信側及び着信側の通信端末１ａ，１ｂ毎にＤＴＭＦ信号を透過するか否かが決められた条件の一例を示している。通信端末ごとにＤＴＭＦ信号を消去するか否かが設定可能となっており、図の例では、発信側においてＤＴＭＦ信号を消去するという設定となっており、着信側においてＤＴＭＦ信号を消去するという設定となっている場合には、発信側の通信端末における操作に応じたＤＴＭＦ信号は着信側の通信端末に対して非透過（ＤＴＭＦ信号が着信側の通信端末に通知されない）であり、着信側の通信端末における操作に応じたＤＴＭＦ信号は発信側の通信端末に対して非透過である。
【００２４】
次に、図６は、呼制御サーバ５及び加入者ＤＢ装置６の機能構成を示す図である。判断部５０１は、主に制御部５１によって実現される機能であり、発信側又は着信側の通信端末１ａ，１ｂについて決められた条件（図３〜図５）に基づいて、通信端末１ａ，１ｂの通話中に一方の通信端末における操作に応じたＤＴＭＦ信号を他方の通信端末に対して透過するか否かを判断する。指示部５０２は、主に制御部５１及び通信部５２によって実現される機能であり、上記の判断に従い、ＤＴＭＦ信号を中継する中継装置である呼制御ＧＷ４ａ又は呼制御ＧＷ４ｂに対してＤＴＭＦ信号の中継の可否を指示する。記憶部５０３は、主に加入者ＤＢ装置６によって実現される機能であり、外部端末からの指示に従って、発信側又は着信側の通信端末１ａ，１ｂについて決められた条件（図３〜図５）を記憶する。判断部５０１は記憶部５０３に記憶された条件に基づいて上記の判断を行う。この外部端末は、例えば社員であるユーザが所属する組織に設置され、ネットワーク３を介して呼制御サーバ５に接続されているコンピュータである。
【００２５】
［動作］
次に本実施形態の動作を説明する。図７は、呼制御サーバ５の制御部５１の動作を示すフロー図である。呼制御サーバ５の制御部５１は、発信側の通信端末（通信端末１ａとする）から着信側の通信端末（通信端末１ｂとする）に対して呼び出し要求があると、これらの通信端末１ａ，１ｂが同一拠点に属しているか否かを判断する（ステップＳ１１）。これらの通信端末が同一拠点に属している場合には（ステップＳ１１；ＹＥＳ）、制御部５１は、発信側の通信端末１ａ及び着信側の通信端末１ｂに対して端末ごとの条件が設定されているか否かを判断する（ステップＳ１２）。端末ごとに条件が設定されている場合には（ステップＳ１２；ＹＥＳ）、制御部５１は、着信側の通信端末１ｂにおいて呼び出しなく留守番電話（以下、留守電という）が起動するか否かを判断する（ステップＳ１３）。呼び出しなく留守電が起動した場合には（ステップＳ１３；ＹＥＳ）、制御部５１は、発信側の通信端末１ａ及び着信側の通信端末１ｂごとの条件（図５）に応じてＤＴＭＦ信号を透過するか否かを判断する（ステップＳ１４）。一方、呼び出しがあってから留守電が起動した場合には（ステップＳ１３；ＮＯ）、制御部５１は、留守電時の対応、つまり、ＤＴＭＦ信号を透過するか否かを決めた条件に関わらず、通信端末間においてＤＴＭＦ信号を透過すると判断する（ステップＳ１６）。
【００２６】
また、これらの通信端末が同一拠点に属していない場合には（ステップＳ１１；ＮＯ）、制御部５１は、着信側の通信端末１ｂにおいて呼び出しなく留守電が起動するか否かを判断する（ステップＳ１８）。呼び出しなく留守電が起動した場合には（ステップＳ１８；ＹＥＳ）、制御部５１は、留守電時の対応、つまり、ＤＴＭＦ信号を透過するか否かを決めた条件に関わらず、通信端末間においてＤＴＭＦ信号を透過すると判断する（ステップＳ１６）。一方、呼び出しがあってから留守電が起動した場合には（ステップＳ１８；ＮＯ）、制御部５１は、発信側の通信端末１ａ及び着信側の通信端末１ｂの拠点ごとの条件（図４）に応じてＤＴＭＦ信号を透過するか否かを判断する（ステップＳ１９）。
【００２７】
また、端末ごとに条件が設定されていない場合には（ステップＳ１２；ＮＯ）、制御部５１は、着信側の通信端末１ｂにおいて呼び出しなく留守電が起動するか否かを判断する（ステップＳ１５）。呼び出しなく留守電が起動した場合には（ステップＳ１５；ＹＥＳ）、制御部５１は、留守電時の対応、つまり、ＤＴＭＦ信号を透過するか否かを決めた条件に関わらず、通信端末間においてＤＴＭＦ信号を透過すると判断する（ステップＳ１６）。一方、呼び出しがあってから留守電が起動した場合には（ステップＳ１５；ＮＯ）、制御部５１は、発信側の通信端末１ａ及び着信側の通信端末１ｂの種別ごとの条件（図３）に応じてＤＴＭＦ信号を透過するか否かを判断する（ステップＳ１７）。
【００２８】
（具体例１：留守電時無応答の例）
以下、動作の具体例を説明する。ここでは、通信端末１ａが発信側で、通信端末１ｂが着信側とする。また、通信端末１ａは企業Ｘに属する、ＭＳＩＳＤＮが「Ａ」の通信端末とし、通信端末１ｂは企業Ｙに属する、ＭＳＩＳＤＮが「Ｂ」の通信端末とする。図８において、まず、発信側の通信端末１ａは、ユーザの呼び出し操作に応じて、通信端末１ｂを呼び出すための呼び出し信号を送信する（ステップＳ１１１）。この呼び出し信号は、発信側のＭＳＩＳＤＮ「Ａ」と着信側のＭＳＩＳＤＮ「Ｂ」とを含み、発信側の呼制御ＧＷ（呼制御ＧＷ４ａとする）を介して呼制御サーバ５によって受信される。
【００２９】
呼制御サーバ５の制御部５１は、発信側及び着信側の通信端末１ａ，１ｂのＭＳＩＳＤＮをキーにして加入者ＤＢ装置６の記憶内容を参照し、発信側の通信端末１ａの透過設定の有無と、着信側の通信端末１ｂの在圏状態及び留守電契約の有無を確認する（ステップＳ１１２，Ｓ１１３）。ここでは、制御部５１は、発信側の通信端末１ａの透過設定が「消去する」であると判断し（ステップＳ１１４）、発信側の呼制御ＧＷ４ａに対して、ＤＴＭＦ信号を非透過にすることを指示し（ステップＳ１１５）、着信側の呼制御ＧＷ４ｂに対して、通信端末１ｂを呼び出す信号（ＳＩＰ＿ＩＮＶＩＴＥ）を送信する（ステップＳ１１６）。
【００３０】
着信側の呼制御ＧＷ４ｂは、通信端末１ｂを呼び出し期間中において、その呼び出し処理中であることを意味する信号（ＳＩＰ＿１８３）を呼制御サーバ５に送信する（ステップＳ１１７）。この信号は呼制御サーバ５を経由して発信側の呼制御ＧＷ４ａに送信される。この信号に応じて、呼制御ＧＷ４ａは、呼び出し先を呼び出し中であることを意味する呼び出し音を通信端末１ａに発信する（ステップＳ１１８）。
【００３１】
そして、呼制御サーバ５の制御部５１は、呼び出し先の通信端末１ｂにおいてユーザによる操作がなされずに無応答である期間が一定期間以上継続すると、留守電機能を起動すると判断し（ステップＳ１１９）、ＤＴＭＦ信号の透過設定を非透過から透過に変更するよう、発信側の呼制御ＧＷ４ａに指示する（ステップＳ１２０，Ｓ１２１）。これにより、呼制御ＧＷ４ａは、ＤＴＭＦ信号を透過するように設定する（ステップＳ１２２）。
【００３２】
また、呼制御サーバ５の制御部５１は、録音サーバ７に対して留守電機能を起動するよう指示する（ステップＳ１２３）。この指示に応じて、録音サーバ７から応答信号（ＳＩＰ＿２００ＯＫ）が送信されてくると、この応答信号は呼制御サーバ５を経由して発信側の呼制御ＧＷ４ａによって受信される（ステップＳ１２４）。そして、録音サーバ７は留守電接続ガイダンスを意味する音声信号を送信し、この音声信号に応じた音声が発信側の通信端末１ａから出力される（ステップＳ１２５）。
【００３３】
この音声ガイダンスに従い、ユーザが通信端末１ａを用いて発話し、その発話が終了してからキー操作を行うと、通信端末１ａはこの操作に応じたＤＴＭＦ信号を送信する（ステップＳ１２６）。ここで、呼制御ＧＷ４ａは、ＤＴＭＦ信号を透過する設定になっているので、このＤＴＭＦ信号を透過し、呼制御サーバ５に送信する（ステップＳ１２７）。このＤＴＭＦ信号は呼制御サーバ５を経由して録音サーバ７に通知される（ステップＳ１２８）。そして、録音サーバ７において、このＤＴＭＦ信号に応じた処理（例えば録音終了）が行われる。
【００３４】
（具体例２：留守電時圏外の例）
次に、図９において、通信端末１ａが発信側で、通信端末１ｂが着信側とする。また、通信端末１ａは企業Ｘに属する、ＭＳＩＳＤＮが「Ａ」の通信端末とし、通信端末１ｂは企業Ｙに属する、ＭＳＩＳＤＮが「Ｂ」の通信端末とする。まず、発信側の通信端末１ａは、ユーザの呼び出し操作に応じて、通信端末１ｂを呼び出すための呼び出し信号を送信する（ステップＳ２１１）。この呼び出し信号は、発信側のＭＳＩＳＤＮ「Ａ」と着信側のＭＳＩＳＤＮ「Ｂ」とを含み、発信側の呼制御ＧＷ４ａを介して呼制御サーバ５によって受信される。
【００３５】
呼制御サーバ５の制御部５１は、発信側及び着信側の通信端末１ａ，１ｂのＭＳＩＳＤＮをキーにして加入者ＤＢ装置６の記憶内容を参照し、発信側の通信端末１ａの透過設定の有無と、着信側の通信端末１ｂの在圏状態及び留守電契約の有無を確認する（ステップＳ２１２，Ｓ２１３）。ここでは、制御部５１は、発信側の通信端末１ａの透過設定が「消去する」であると判断し（ステップＳ２１４）、発信側の呼制御ＧＷ４ａに対して、ＤＴＭＦ信号を透過することを指示する（ステップＳ２１５）。これにより、呼制御ＧＷ４ａは、ＤＴＭＦ信号を透過するように設定する（ステップＳ２１６）。
【００３６】
加入者ＤＢ装置６は、着信側の通信端末１ｂがネットワークの通信可能範囲外に居る「圏外」の状態であるから、留守電機能を起動すると判断してその旨を呼制御サーバ５に通知する（ステップＳ２１７）。呼制御サーバ５の制御部５１は、録音サーバ７に対して留守電機能を起動するよう指示する（ステップＳ２１８）。この指示に応じて、録音サーバ７から応答信号（ＳＩＰ＿２００ＯＫ）が送信されてくると、この応答信号は呼制御サーバ５を経由して発信側の呼制御ＧＷ４ａによって受信される（ステップＳ２１９）。そして、録音サーバ７は留守電接続ガイダンスを意味する音声信号を送信し、この音声信号に応じた音声が発信側の通信端末１ａから出力される（ステップＳ２２０）。
【００３７】
この音声ガイダンスに従い、ユーザが通信端末１ａを用いて発話し、その発話が終了してからキー操作を行うと、通信端末１ａはこの操作に応じたＤＴＭＦ信号を送信する（ステップＳ２２１）。ここで、呼制御ＧＷ４ａは、ＤＴＭＦ信号を透過する設定になっているので、このＤＴＭＦ信号を透過し、呼制御サーバ５に送信する（ステップＳ２２２）。このＤＴＭＦ信号は呼制御サーバ５を経由して録音サーバ７に通知される（ステップＳ２２３）。そして、録音サーバ７において、このＤＴＭＦ信号に応じた処理（例えば録音終了）が行われる。
【００３８】
（具体例３：留守電時転送して圏外の例）
図１０において、通信端末１ａが発信側で、通信端末１ｂが着信側とする。また、通信端末１ａは企業Ｘに属する、ＭＳＩＳＤＮが「Ａ」の通信端末とし、通信端末１ｂは企業Ｙに属する、ＭＳＩＳＤＮが「Ｂ」の通信端末とする。まず、発信側の通信端末１ａは、ユーザの呼び出し操作に応じて、通信端末１ｂを呼び出すための呼び出し信号を送信する（ステップＳ３１１）。この呼び出し信号は、発信側のＭＳＩＳＤＮ「Ａ」と着信側のＭＳＩＳＤＮ「Ｂ」とを含み、発信側の呼制御ＧＷ４ａを介して呼制御サーバ５によって受信される。
【００３９】
呼制御サーバ５の制御部５１は、発信側及び着信側の通信端末１ａ，１ｂのＭＳＩＳＤＮをキーにして加入者ＤＢ装置６の記憶内容を参照し、発信側の通信端末１ａの透過設定の有無と、着信側の通信端末１ｂの在圏状態及び留守電契約の有無を確認する（ステップＳ３１２，Ｓ３１３）。ここでは、制御部５１は、発信側の通信端末１ａの透過設定が「消去する」であると判断し（ステップＳ３１４）、発信側の呼制御ＧＷ４ａに対して、ＤＴＭＦ信号を非透過にすることを指示し（ステップＳ３１５）、着信側の呼制御ＧＷ４ｂに対して、通信端末１ｂを呼び出す信号（ＳＩＰ＿ＩＮＶＩＴＥ）を送信する（ステップＳ３１６）。
【００４０】
着信側の呼制御ＧＷ４ｂは、通信端末１ｂを呼び出し期間中において、その呼び出し処理中であることを意味する信号（ＳＩＰ＿１８３）を呼制御サーバ５に送信する（ステップＳ３１７）。この信号は呼制御サーバ５を経由して発信側の呼制御ＧＷ４ａに送信される。この信号に応じて、呼制御ＧＷ４ａは、呼び出し先を呼び出し中であることを意味する呼び出し音を通信端末１ａに発信する（ステップＳ３１８）。
【００４１】
そして、呼制御サーバ５の制御部５１は、呼び出し先の通信端末１ｂにおいて応答を意味する操作がなされると、これに応じた信号（ＳＩＰ＿２００ＯＫ）を送信する（ステップＳ３１９）。これにより、通信端末１ａ及び通信端末１ｂ間で通話回線が確立し、通話がなされる（ステップＳ３２０）。
【００４２】
ここで、呼制御サーバ５の制御部５１は、通信端末１ａにおいて、別の通信端末（通信端末１ｃとする）に転送する操作がなされると（ステッＳ３２１）、これに応じた信号（ＳＩＰ＿ＩＮＶＩＴＥ）を送信する（ステップＳ３２２）。呼制御サーバ５の制御部５１は、発信側及び着信側（転送先）の通信端末１ａ，１ｃのＭＳＩＳＤＮをキーにして加入者ＤＢ装置６の記憶内容を参照し、発信側の通信端末１ａの透過設定の有無と、着信側（転送先）の通信端末１ｃの在圏状態及び留守電契約の有無を確認する（ステップＳ３２３，Ｓ３２４）。ここでは、制御部５１は、発信側の通信端末１ａの透過設定が「消去する」であると判断し（ステップＳ３２５）、発信側の呼制御ＧＷ４ａに対して、ＤＴＭＦ信号を透過することを指示する（ステップＳ３２６）。
【００４３】
加入者ＤＢ装置６は、着信側（転送先）の通信端末１ｃがネットワークの通信可能範囲外に居る「圏外」の状態であるから、留守電機能を起動すると判断してその旨を呼制御サーバ５に通知する（ステップＳ３２７）。呼制御サーバ５の制御部５１は、録音サーバ７に対して留守電機能を起動するよう指示する（ステップＳ３２８）。この指示に応じて、録音サーバ７から応答信号（ＳＩＰ＿２００ＯＫ）が送信されてくると、この応答信号は呼制御サーバ５を経由して発信側の呼制御ＧＷ４ａによって受信される（ステップＳ３２９）。そして、録音サーバ７は留守電接続ガイダンスを意味する音声信号を送信し、この音声信号に応じた音声が発信側の通信端末１ａから出力される（ステップＳ３３０）。
【００４４】
この音声ガイダンスに従い、ユーザが通信端末１ａを用いて発話し、発話が終了してからキー操作を行うと、通信端末１ａはこの操作に応じたＤＴＭＦ信号を送信する（ステップＳ３３１）。ここで、呼制御ＧＷ４ａは、ＤＴＭＦ信号を透過する設定になっているので、このＤＴＭＦ信号を透過し、呼制御サーバ５に送信する（ステップＳ３３２）。このＤＴＭＦ信号は呼制御サーバ５を経由して録音サーバ７に通知される（ステップＳ３３３）。そして、録音サーバ７において、このＤＴＭＦ信号に応じた処理（例えば録音終了）が行われる。
【００４５】
（具体例４：留守電時転送して無応答で切り戻す例）
図１１において、通信端末１ａが発信側で、通信端末１ｂが着信側とする。また、通信端末１ａは企業Ｘに属する、ＭＳＩＳＤＮが「Ａ」の通信端末とし、通信端末１ｂは企業Ｙに属する、ＭＳＩＳＤＮが「Ｂ」の通信端末とする。まず、発信側の通信端末１ａは、ユーザの呼び出し操作に応じて、通信端末１ｂを呼び出すための呼び出し信号を送信する（ステップＳ４１１）。この呼び出し信号は、発信側のＭＳＩＳＤＮ「Ａ」と着信側のＭＳＩＳＤＮ「Ｂ」とを含み、発信側の呼制御ＧＷ４ａを介して呼制御サーバ５によって受信される。
【００４６】
呼制御サーバ５の制御部５１は、発信側及び着信側の通信端末１ａ，１ｂのＭＳＩＳＤＮをキーにして加入者ＤＢ装置６の記憶内容を参照し、発信側の通信端末１ａの透過設定の有無と、着信側の通信端末１ｂの在圏状態及び留守電契約の有無を確認する（ステップＳ４１２，Ｓ４１３）。ここでは、制御部５１は、発信側の通信端末１ａの透過設定が「消去する」であると判断し（ステップＳ４１４）、発信側の呼制御ＧＷ４ａに対して、ＤＴＭＦ信号を非透過にすることを指示し（ステップＳ４１５）、着信側の呼制御ＧＷ４ｂに対して、通信端末１ｂを呼び出す信号（ＳＩＰ＿ＩＮＶＩＴＥ）を送信する（ステップＳ４１６）。
【００４７】
着信側の呼制御ＧＷ４ｂは、通信端末１ｂを呼び出し期間中において、その呼び出し処理中であることを意味する信号（ＳＩＰ＿１８３）を呼制御サーバ５に送信する（ステップＳ４１７）。この信号は呼制御サーバ５を経由して発信側の呼制御ＧＷ４ａに送信される。この信号に応じて、呼制御ＧＷ４ａは、呼び出し先を呼び出し中であることを意味する呼び出し音を通信端末１ａに発信する（ステップＳ４１８）。
【００４８】
そして、呼制御サーバ５の制御部５１は、呼び出し先の通信端末１ｂにおいて応答を意味する操作がなされると、これに応じた信号（ＳＩＰ＿２００  ＯＫ）を送信する（ステップＳ４１９）。これにより、通信端末１ａ及び通信端末１ｂ間で通話回線が確立し、通話がなされる（ステップＳ４２０）。
【００４９】
ここで、呼制御サーバ５の制御部５１は、通信端末１ａにおいて別の通信端末（通信端末１ｃとする）に転送する操作がなされると（ステップＳ４２１）、これに応じた信号（ＳＩＰ＿ＩＮＶＩＴＥ）を送信する（ステップＳ４２２）。呼制御サーバ５の制御部５１は、発信側及び着信側の通信端末１ａ，１ｃのＭＳＩＳＤＮをキーにして加入者ＤＢ装置６の記憶内容を参照し、発信側の通信端末１ａの透過設定の有無と、着信側（転送先）の通信端末１ｃの在圏状態及び留守電契約の有無を確認する（ステップＳ４２３，Ｓ４２４）。ここでは、制御部５１は、発信側の通信端末１ａの透過設定が「消去する」であると判断し（ステップＳ４２５）、発信側の呼制御ＧＷ４ａに対して、ＤＴＭＦ信号を透過することを指示する（ステップＳ４２６）。
【００５０】
加入者ＤＢ装置６は、着信側の通信端末１ｃがネットワークの通信可能範囲外に居る「圏外」の状態であるから、留守電機能を起動すると判断してその旨を呼制御サーバ５に通知する（ステップＳ４２７）。呼制御サーバ５の制御部５１は、録音サーバ７に対して留守電機能を起動するよう指示する（ステップＳ４２８）。この指示に応じて、録音サーバ７から応答信号（ＳＩＰ＿２００ＯＫ）が送信されてくると、この応答信号は呼制御サーバ５を経由して発信側の呼制御ＧＷ４ａによって受信される（ステップＳ４２９）。そして、録音サーバ７は留守電接続ガイダンスを意味する音声信号を送信し、この音声信号に応じた音声が発信側の通信端末１ａから出力される（ステップＳ４３０）。
【００５１】
この音声ガイダンスに対し、ユーザが、留守電では直接通話ができないことから、通信端末１ａを用いて転送元の通信端末１ｂに通話先を戻すためのキー操作を行うと、通信端末１ａはこの操作に応じたＤＴＭＦ信号を送信する（ステップＳ４３１）。ここで、呼制御ＧＷ４ａは、ＤＴＭＦ信号を透過する設定になっているので、このＤＴＭＦ信号を透過し、呼制御サーバ５に送信する（ステップＳ４３２）。呼制御サーバ５の制御部５１は、このＤＴＭＦ信号に応じて、通信端末１ｂに通話先を戻すための処理を行う（ステップＳ４３３）。そして、制御部５１は、発信側の呼制御ＧＷ４ａに対して、ＤＴＭＦ信号を非透過にすることを指示し（ステップＳ４３４）、通信端末１ａ及び通信端末１ｂ間で通話回線を再度確立する（ステップＳ４３５）。
【００５２】
（留守電時、着信側が他網に在圏している例）
図１２において、通信端末１ａが発信側で、通信端末１ｂが着信側とする。また、通信端末１ａは企業Ｘに属する、ＭＳＩＳＤＮが「Ａ」の通信端末とし、通信端末１ｂは企業Ｙに属する、ＭＳＩＳＤＮが「Ｂ」の通信端末とする。まず、発信側の通信端末１ａは、ユーザの呼び出し操作に応じて、通信端末１ｂを呼び出すための呼び出し信号を送信する（ステップＳ５１１）。この呼び出し信号は、発信側のＭＳＩＳＤＮ「Ａ」と着信側のＭＳＩＳＤＮ「Ｂ」とを含み、発信側の呼制御ＧＷ４ａを介して呼制御サーバ５によって受信される。
【００５３】
呼制御サーバ５の制御部５１は、発信側及び着信側の通信端末１ａ，１ｂのＭＳＩＳＤＮをキーにして加入者ＤＢ装置６の記憶内容を参照し、発信側の通信端末１ａの透過設定の有無と、着信側の通信端末１ｂの在圏状態及び留守電契約の有無を確認する（ステップＳ５１２，Ｓ５１３）。ここでは、制御部５１は、発信側の通信端末１ａの透過設定が「消去する」であると判断し（ステップＳ５１４）、発信側の呼制御ＧＷ４ａに対して、ＤＴＭＦ信号を非透過にすることを指示する（ステップＳ５１５）。これにより、呼制御ＧＷ４ａは、ＤＴＭＦ信号を非透過にするように設定する（ステップＳ５１６）。
【００５４】
加入者ＤＢ装置６は、着信側の通信端末１ｂが他網に居る状態であるから、他網向け呼制御ＧＷに対して、通信端末１ｂを呼び出す信号（ＳＩＰ＿ＩＮＶＩＴＥ）を送信する（ステップＳ５１７）。
【００５５】
他網向け呼制御ＧＷは、通信端末１ｂを呼び出し期間中において、その呼び出し処理中であることを意味する信号（ＳＩＰ＿１８３）を呼制御サーバ５に送信する（ステップＳ５１８）。この信号は呼制御サーバ５を経由して発信側の呼制御ＧＷ４ａに送信される。この信号に応じて、呼制御ＧＷ４ａは、呼び出し先を呼び出し中であることを意味する呼び出し音を通信端末１ａに発信する（ステップＳ５１９）。
【００５６】
そして、呼制御サーバ５の制御部５１は、呼び出し先の通信端末１ｂにおいて応答を意味する操作がなされると、これに応じた信号（ＳＩＰ＿２００ＯＫ）を送信する（ステップＳ５２０）。これにより、通信端末１ａ及び通信端末１ｂ間で通話回線が確立し、通話がなされる（ステップＳ５２１）。
【００５７】
ここで、ユーザが、ＤＴＭＦ信号を用いた操作が必要な場合には、予め決められた特定の入力を通信端末１ａに対して行う。ここでは、透過特番と呼ばれる複数の数字の組み合わせを入力する（ステップＳ５２２）。通信端末１ａはこの操作に応じたＤＴＭＦ信号を送信する（ステップＳ５２３）。ここで、呼制御ＧＷ４ａは、ＤＴＭＦ信号を認識して透過特番であると判断すると（ステップＳ５２４）、ＤＴＭＦ信号を非透過の設定から、透過する設定に変更する（ステップＳ５２５）。つまり、ＤＴＭＦ信号を透過するか否かを決めた条件に関わらず、通信端末において特定の入力がなされた場合には、ＤＴＭＦ信号を透過すると判断する。そして、ユーザが、キー操作を行うと（ステップＳ５２６）、通信端末１ａはこの操作に応じたＤＴＭＦ信号を送信する（ステップＳ５２７）。呼制御ＧＷ４ａは、このＤＴＭＦ信号を透過し、呼制御サーバ５に送信する（ステップＳ５２８）。
【００５８】
以上説明した実施形態によれば、通話中のＤＴＭＦ信号がネットワークを透過又は非透過する処理を制御することができる。
【００５９】
［変形例］
本発明に係る呼制御装置は、実施形態で説明したような呼制御サーバ５の機能の全てを一体に備えた装置によっても実現可能であるし、呼制御サーバ５の機能を、さらに複数の装置に分散して実装したものであってもよい。
【００６０】
ＤＴＭＦ信号を透過するか否かを決めた条件に関わらず、通信端末間において特定のサービスが利用される場合には、ＤＴＭＦ信号を透過すると判断するが、このサービスは、実施形態で例示した留守番電話サービス又は通話転送サービスに限らない。
【００６１】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６２】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６４】
本明細書で使用する「システム」及び「ネットワーク」という用語は、互換的に使用される。
【００６５】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００６６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。また、「含む（ｉｎｃｌｕｄｉｎｇ）」、「含んでいる（ｃｏｍｐｒｉｓｉｎｇ）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。また、本開示の全体において、例えば、英語でのa, an, 及びtheのように、翻訳により冠詞が追加された場合、これらの冠詞は、文脈から明らかにそうではないことが示されていなければ、複数のものを含むものとする。
【００６７】
本発明は、呼制御サーバ５が行う情報処理方法や、コンピュータを呼制御サーバ５として機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００６８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００６９】
１ａ，１ｂ・・・通信端末、３・・・ネットワーク、４ａ，４ｂ・・・呼制御ＧＷ、５・・・呼制御サーバ、５１・・・制御部、５２・・・通信部、５３・・・記憶部、５０１・・・判断部、５０２・・・指示部、５０３・・・記憶部、６・・・加入者ＤＢ装置、７・・・録音サーバ。
【図１】
2018019265.tif 000003
【図２】
2018019265.tif 000004
【図３】
2018019265.tif 000005
【図４】
2018019265.tif 000006
【図５】
2018019265.tif 000007
【図６】
2018019265.tif 000008
【図７】
2018019265.tif 000009
【図８】
2018019265.tif 000010
【図９】
2018019265.tif 000011
【図１０】
2018019265.tif 000012
【図１１】
2018019265.tif 000013
【図１２】
2018019265.tif 000014
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、
前記判断に従い、ＤＴＭＦ信号を中継する中継装置に対してＤＴＭＦ信号の中継の可否を指示する指示部と
を備え、
前記条件において、発信側及び着信側の通信端末の種別毎にＤＴＭＦ信号を透過するか否かが決められていることを特徴とする呼制御装置。
【請求項２】
発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、
前記判断に従い、ＤＴＭＦ信号を中継する中継装置に対してＤＴＭＦ信号の中継の可否を指示する指示部と
を備え、
前記条件において、発信側及び着信側の通信端末が属する拠点毎にＤＴＭＦ信号を透過するか否かが決められている
ことを特徴とする呼制御装置。
【請求項３】
発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、
前記判断に従い、ＤＴＭＦ信号を中継する中継装置に対してＤＴＭＦ信号の中継の可否を指示する指示部と
を備え、
前記判断部は、ＤＴＭＦ信号を透過するか否かを決めた前記条件に関わらず、前記通信端末間において特定のサービスが利用される場合には、ＤＴＭＦ信号を透過すると判断する
ことを特徴とする呼制御装置。
【請求項４】
前記特定のサービスは留守番電話サービスである
ことを特徴とする請求項３に記載の呼制御装置。
【請求項５】
前記特定のサービスは通話転送サービスである
ことを特徴とする請求項３に記載の呼制御装置。
【請求項６】
前記判断部は、ＤＴＭＦ信号を透過するか否かを決めた前記条件に関わらず、前記通信端末において特定の入力がなされた場合には、ＤＴＭＦ信号を透過すると判断する
ことを特徴とする請求項１又は２に記載の呼制御装置。
【請求項７】
外部端末からの指示に従って前記条件を記憶する記憶部を備え、
前記判断部は前記記憶部に記憶された条件に基づいて前記判断を行う
ことを特徴とする請求項１〜６のいずれか１項に記載の呼制御装置。
【請求項８】
請求項１〜７のいずれか１項に記載の呼制御装置と、
前記呼制御装置からの指示に従ってＤＴＭＦ信号を中継する中継装置と
を備えた通信システム。
【手続補正２】
【補正対象書類名】明細書
【補正対象項目名】０００７
【補正方法】変更
【補正の内容】
【０００７】
上記課題を解決するため、本発明は、発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、前記判断に従い、ＤＴＭＦ信号を中継する中継装置に対してＤＴＭＦ信号の中継の可否を指示する指示部とを備え、前記条件において、発信側及び着信側の通信端末の種別毎にＤＴＭＦ信号を透過するか否かが決められていることを特徴とする呼制御装置を提供する。
【手続補正３】
【補正対象書類名】明細書
【補正対象項目名】０００８
【補正方法】変更
【補正の内容】
【０００８】
また、本発明は、発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、前記判断に従い、ＤＴＭＦ信号を中継する中継装置に対してＤＴＭＦ信号の中継の可否を指示する指示部とを備え、前記条件において、発信側及び着信側の通信端末が属する拠点毎にＤＴＭＦ信号を透過するか否かが決められていることを特徴とする呼制御装置を提供する。
【手続補正４】
【補正対象書類名】明細書
【補正対象項目名】０００９
【補正方法】変更
【補正の内容】
【０００９】
また、本発明は、発信側又は着信側の通信端末について決められた条件に基づいて、当該通信端末の通話中に一方の前記通信端末における操作に応じたＤＴＭＦ信号を他方の前記通信端末に対して透過するか否かを判断する判断部と、前記判断に従い、ＤＴＭＦ信号を中継する中継装置に対してＤＴＭＦ信号の中継の可否を指示する指示部とを備え、前記判断部は、ＤＴＭＦ信号を透過するか否かを決めた前記条件に関わらず、前記通信端末間において特定のサービスが利用される場合には、ＤＴＭＦ信号を透過すると判断することを特徴とする呼制御装置を提供する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】